(57)【要約】【課題】  基板ボックス開封時に制御基板自体に痕跡が残るカシメ構造とすることにより不正発見を容易にした遊技機用制御装置及びそれを備えた遊技機を提供する。【解決手段】基板ボックス２を封緘するカシメ構造の一部をなすカシメ部材４０が制御基板３と一体的に構成されているので、基板ボックス２内に収納された制御基板３を取り出すためには、カシメ部材４０を破損させて基板ボックス３を開封する必要がある。従って、基板ボックス２が不正に開封されて制御基板３に不正ＲＯＭ交換等の改造が施された場合には、開封の痕跡が制御基板３側に必ず残ることになり、容易且つ確実に不正を発見することができる。【選択図】        図９
2006129939.tif 000002
【特許請求の範囲】
【請求項１】
ベース部材と蓋部材とからなる基板ボックスの内部に遊技機用の制御基板を収納してなる遊技機用制御装置において、
前記ベース部材と前記蓋部材とを互いに不可逆的に結合させるカシメ構造の一部が前記制御基板と一体的に構成されたことを特徴とする遊技機用制御装置。
【請求項２】
前記制御基板には、前記カシメ構造の一部をなす係合部材が一体的に設けられ、
前記ベース部材及び前記蓋部材のうち、一方には前記制御基板が内側に装着されると共に、他方には前記カシメ構造の他の一部をなし且つ前記係合部材と係合可能な被係合部材が設けられたことを特徴とする請求項１に記載の遊技機用制御装置。
【請求項３】
前記係合部材は、前記制御基板とは別体で形成され且つ固着により前記制御基板と一体化されたことを特徴とする請求項２に記載の遊技機用制御装置。
【請求項４】
請求項１乃至３のいずれかに記載の遊技機用制御装置を備えたことを特徴とする遊技機。
【発明の詳細な説明】
【技術分野】
【０００１】
本発明は、パチンコ遊技機、スロットマシン、パチロット遊技機等の遊技機用の制御装置及びそれを備えた遊技機に関するものである。
【背景技術】
【０００２】
パチンコ機などの遊技機においては、制御部などに不正な改造が施されることを防止するため、回路基板を収容した開閉可能な基板ボックスを容易には開閉できなくした筺体封止構造が採用されている。例えば、本出願人は、特許文献１において、筺体と蓋体とで構成されるとともに両者を閉状態で封止する筺体封止構造を備えた基板ボックスを提案している。この基板ボックスにおける筺体封止構造は、Ｕ型に折り返した部位を形成した金属片を有するとともに、筺体の側には、上記筺体と蓋体との接触面に対面して上記金属片におけるＵ型に折り返した両端を挿入可能な挿入穴と、当該挿入穴内にて上記金属片における折り返した内側に係止して抜け止めを図るバネ片とを備え、上記蓋体の側には、上記挿入穴と対面して上記金属片におけるＵ型に折り返した両端を挿通可能な挿通穴を備えた構成としてある。
【０００３】
そして、制御ボックスを閉状態で封止する際には、筺体と蓋体との接触面に対面する筺体の挿入穴と蓋体の挿通穴とを位置合わせした状態で、同挿通穴の側からＵ型に折り返した金属片を挿入していく。筺体の挿入穴の内部にはバネ片が備えられており、同金属片を挿入していくときに当該金属片における折り返した内側部分と係止し、金属片自体の抜け止めが図られる。この状態ではＵ型に折り返した金属片が蓋体の一部を跨ぐようにして筺体の側に挿入されて抜け止めされることになり、筺体と蓋体とは相対的に移動不能となる。従って、両者は封止される。
【０００４】
このようにＵ型に折り返した金属片はその内側部分で抜け止めを図られるようになっており、抜け止めを解除しようとするときには金属片の内側の部位を破壊する必要がある。しかしながら、Ｕ型に折り返された形状となっているので、内側を破壊することは極めて困難であり、結果として不正を防止する効果が高い。すなわち、金属片とバネ片が連携してバネ片への不正を排除することにより、基板ボックスが不正に開かれることを防止している。
【特許文献１】特開２００４−１０５７５５号公報
【発明の開示】
【発明が解決しようとする課題】
【０００５】
しかしながら、遊技機に対して行われる不正の態様として、基板ボックス自体を予め複製しておき、基板ボックスから取り出した制御基板に不正ＲＯＭを載せ替えて、複製された新品の基板ボックス内に不正ＲＯＭを搭載した制御基板を収容して遊技機に取り付けられるという不正も現実に行われている。そして、このように基板ボックス自体が交換される不正が行われた場合、上述した従来技術のように基板ボックスに不正対策が施されていても、外見から不正が行われたことを発見するのは困難であり、不正発見が遅れるという問題があった。
【０００６】
解決しようとする課題は、基板ボックス開封時に制御基板自体に痕跡が残るカシメ構造とすることにより不正発見を容易にした遊技機用制御装置及びそれを備えた遊技機を提供することである。
【課題を解決するための手段】
【０００７】
以下、上記課題を解決するのに適した各手段につき、必要に応じて作用効果等を付記しつつ説明する。
１．ベース部材と蓋部材とからなる基板ボックスの内部に遊技機用の制御基板を収納してなる遊技機用制御装置において、
前記ベース部材と前記蓋部材とを互いに不可逆的に結合させるカシメ構造の一部が前記制御基板と一体的に構成されたことを特徴とする遊技機用制御装置。
手段１によれば、ベース部材と蓋部材とがカシメ構造によって互いに不可逆的に結合されることにより、制御基板を内部に収納する基板ボックスが開封不能に封緘される。また、結合構造の一部が制御基板と一体的に構成されているので、基板ボックス内に収納された制御基板を取り出すためには、カシメ構造の少なくとも一部を破損させて基板ボックスを開封する必要がある。従って、基板ボックスが不正に開封されて制御基板に不正ＲＯＭ交換等の改造が施された場合には、開封の痕跡が制御基板側に必ず残ることになる。よって、従来は、基板ボックス自体が複製されている場合には開封の痕跡が残らないので不正の発見が困難となっていたが、本発明によれば、不正改造の対象物である制御基板自体に基板ボックス開封の痕跡が残るので容易且つ確実に不正を発見することができる。尚、本明細書では、基板ボックスを構成する二つの部材のうち、遊技機本体への取り付け側の部材をベース部材と称し、取り付け側とは反対側の部材を蓋部材と称している。
【０００８】
２．前記制御基板には、前記カシメ構造の一部をなす係合部材が一体的に設けられ、
前記ベース部材及び前記蓋部材のうち、一方には前記制御基板が内側に装着されると共に、他方には前記カシメ構造の他の一部をなし且つ前記係合部材と係合可能な被係合部材が設けられたことを特徴とする手段１に記載の遊技機用制御装置。
手段２によれば、ベース部材及び蓋部材のうち一方の内側に制御基板が装着された状態で、制御基板と一体的に設けられた係合部材が他方に設けられた被係合部材と係合する。例えば、制御基板が蓋部材の内側に装着される構成の場合、制御基板と一体的に設けられた係合部材が、ベース部材側に設けられた被係合部材と係合する。或いは、制御基板がベース部材の内側に装着される構成の場合、制御基板と一体的に設けられた係合部材が蓋部材側に設けられた被係合部材と係合する。従って、制御基板がベース部材と蓋部材とから形成される内部空間（すなわち、基板ボックス内）に収納され且つベース部材と蓋部材とが、係合部材及び被係合部材を介して互いに不可逆的に結合されることにより、制御基板を内部に収納する基板ボックスが開封不能に封緘される。また、カシメ構造の一部をなす係合部材が制御基板と一体的に設けられているので、基板ボックスから制御基板を取り出すためには、係合部材の一部を切断等により破損させて基板ボックスを開封する必要があり、基板ボックスが不正に開封された場合には開封の痕跡が制御基板側に必ず残るため容易且つ確実に不正を発見することができる。
【０００９】
３．前記ベース部材及び前記蓋部材のうち前記制御基板が装着される一方の部材は、前記制御基板が内側に装着された状態で前記係合部材を覆う保護部を有することを特徴とする手段２に記載の遊技機用制御装置。
手段３によれば、ベース部材又は蓋部材の内側に制御基板が装着された状態で、係合部材が保護部によって覆われているので、係合部材と被係合部材との連結部分へ不正にアクセスすることが確実に禁止される。
【００１０】
４．前記保護部には、前記係合部材の一部を臨む開口部が形成されたことを特徴とする手段３に記載の遊技機用制御装置。
手段４によれば、保護部には係合部材の一部を臨む開口部が形成されているので、その開口部にニッパー等の切断用工具を差し込んで係合部材の一部を容易に切断して係合部材と被係合部材との連結を解除することができる。
【００１１】
５．前記係合部材は、前記制御基板とは別体で形成され且つ固着により前記制御基板と一体化されたことを特徴とする手段２乃至４のいずれかに記載の遊技機用制御装置。
手段５によれば、係合部材を制御基板とは別個に合成樹脂の成型加工等により容易に製造可能である。また、係合部材は、固着により制御基板と一体化されるので、基板ボックスが不正に開封された場合に制御基板側へ確実に痕跡を残すことができる。
【００１２】
６．前記係合部材は、光硬化性樹脂により前記制御基板に固着されることを特徴とする手段５に記載の遊技機用制御装置。
手段６によれば、係合部材が光硬化性樹脂により制御基板に強固に固着されて一体化されているので、係合部材自体又は制御基板に痕跡を残さずに係合部材を取り外すことは不可能である。
【００１３】
７．前記係合部材は、当該遊技機の機種情報を表示する機種表示部を有することを特徴とする手段５又は６に記載の遊技機用制御装置。
手段７によれば、係合部材が当該遊技機の機種情報（例えば、機種名）を表示する機種表示部を有するので、例えば、透明な合成樹脂によって形成された蓋部材を介して機種情報が外部から視認可能である。また、基板ボックス（すなわち、ベース部材及び蓋部材）側に機種表示部を設ける必要がなく、基板ボックスを各機種の共通部品として大量生産することが可能となる。
【００１４】
８．前記被係合部材は、前記係合部材と係合する連結片と、その連結片が着脱自在に装着される受け部材とからなることを特徴とする手段２乃至７のいずれかに記載の遊技機用制御装置。
手段８によれば、ベース部材又は蓋部材の一方に装着された制御基板に一体的に設けられた係合部材が、他方に設けられた受け部材に装着された連結片と係合することにより、ベース部材と蓋部材とが不可逆的に係合する。また、使用済みの連結片を受け部材から取り外すことができるので、他の受け部材に装着し直すことにより基板ボックスの封緘に再利用することができる。
【００１５】
９．前記保護部と前記受け部材とがスライドにより係合可能に構成されたことを特徴とする手段８に記載の遊技機用制御装置。
手段９によれば、保護部と受け部材とがスライドにより係合した状態で、係合部材と被係合部材とが係合するので、係合部材と被係合部材との連結部分へ不正にアクセスすることがより確実に禁止される。
【００１６】
１０．前記係合部材は、ピン状に形成された係合ピンを有し、
前記連結片は、前記係合ピンの頭部を挿入可能に形成されると共に、前記係合ピンの頭部を係止する係合爪を有することを特徴とする手段９に記載の遊技機用制御装置。
手段１０によれば、係合部材に設けられたピン状の係合ピンが、受け部材に装着された連結片に頭部を挿入され且つ係合爪に係止されることによって引き抜き不能とされる。
【００１７】
１１．前記係合ピンは、くさび形の頭部を有し、
前記連結片は、全体が略コの字形に形成され且つ前記係合ピンのくさび形頭部と係合可能な一対の係合爪が内側に設けられたことを特徴とする手段１０に記載の遊技機用制御装置。
手段１１によれば、係合部材に設けられた係合ピンのくさび形頭部が、全体が略コの字形に形成された連結片に挿入され且つ内側に設けられた一対の係合爪に係合することにより、係合ピンが引き抜き不能とされる。
【００１８】
１２．前記受け部材は、前記連結片が前記係合部材と係合可能な第１の装着位置と、前記連結片が前記係合部材と係合しない第２の装着位置とを有することを特徴とする手段９乃至１１のいずれかに記載の遊技機用制御装置。
手段１２によれば、受け部材において連結片を第１の装着位置に装着した場合は、連結片が係合部材と係合するのでベース部材と蓋部材との不可逆的結合が図られる。また、連結片は第２の装着位置では係合部材と係合しないので、例えば、予備の連結片を第２の装着位置へ予め装着しておき、必要となった時に第１の装着位置へ装着し直して基板ボックスの封緘に使用することができる。
【００１９】
１３．前記ベース部材と前記蓋部材とは、スライドにより係合可能に構成され、
前記両部材を閉状態となるまで互いにスライドさせることにより前記係合部材が前記被係合部材と係合するように構成されたことを特徴とする手段２乃至１２のいずれかに記載の遊技機用制御装置。
手段１３によれば、ベース部材と蓋部材とを、対応する各辺が重なる閉状態となるまで互いにスライドさせることにより、係合部材が被係合部材と係合する。よって、ベース部材と蓋部材とを互いにスライドさせるだけの極めて簡単な作業で両部材を互いに不可逆的に結合させることができる。
【００２０】
１４．前記被係合部材は、切断が容易な切断部を介して前記ベース部材本体又は前記蓋部材本体と連結されたことを特徴とする手段２乃至１３のいずれかに記載の遊技機用制御装置。
手段１４によれば、係合部材が被係合部材と係合した状態で切断部を切断することにより、ベース部材と蓋体との連結を解除することができる。また、被係合部材の切断部を切断しても、係合部材と被係合部材との連結は解除されず、制御基板と蓋部材又はベース部材とは係合部材及び被係合部材を介して連結されているため、制御基板を蓋部材又はベース部材から分離するためには係合部材を切断等により破損させることが必要であり、制御基板と一体的に設けられた係合部材に開封の痕跡を確実に残すことができる。
【００２１】
１５．手段１乃至１４のいずれかに記載の遊技機用制御装置を備えたことを特徴とする遊技機。
手段１５によれば、遊技機用制御装置が、遊技ホールの営業時間中を含めて頻繁に店員等の目に触れる遊技機の背面側に配置されることにより不正を防止できる。すなわち、遊技機では、ゲーム内容に対応する遊技プログラムを記録したＲＯＭが基板ボックスに収容され、当該ＲＯＭの内容を書き換える不正が行われる可能性がある。このため、本発明の遊技機用制御装置を適用することにより、遊技機に対する不正の早期発見と不正の未然防止を図ることができる。
【００２２】
１６．前記遊技機は、パチンコ遊技機であることを特徴とする手段１５に記載の遊技機。
手段１６によれば、パチンコ遊技機に対する不正の早期発見と不正の未然防止を図ることができる。
【００２３】
１７．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段１５に記載の遊技機。
手段１７によれば、パチロット遊技機に対する不正の早期発見と不正の未然防止を図ることができる。
【００２４】
１８．前記遊技機は、スロットマシンであることを特徴とする手段１５に記載の遊技機。
手段１８によれば、スロットマシンに対する不正の早期発見と不正の未然防止を図ることができる。
【発明の効果】
【００２５】
本発明によれば、基板ボックスを構成するベース部材と蓋部材とがカシメ構造によって互いに不可逆的に結合されることにより、制御基板を内部に収納する基板ボックスが開封不能に封緘される。また、カシメ構造の一部が制御基板と一体的に構成されているので、基板ボックス内に収納された制御基板を取り出すためには、カシメ構造の少なくとも一部を破損させて基板ボックスを開封する必要がある。従って、基板ボックスが不正に開封されて制御基板に不正ＲＯＭ交換等の改造が施された場合には、開封の痕跡が制御基板側に必ず残ることになる。よって、従来は、基板ボックス自体が複製されている場合には開封の痕跡が残らないので不正の発見が困難となっていたが、本発明によれば、不正改造の対象物である制御基板自体に基板ボックス開封の痕跡が残るので容易且つ確実に不正を発見することができる。
【発明を実施するための最良の形態】
【００２６】
以下、本発明を具体化した一実施形態について図面を参照しつつ説明する。まず、本実施形態の遊技機用制御装置を搭載するパチンコ遊技機（以下、単に「パチンコ機」と称する）１０１の全体構成について、図１及び図２を参照しつつ説明する。図１は、パチンコ機１０１の正面図であり、図２は、パチンコ遊技機１０１の背面図である。
【００２７】
パチンコ機１０１は、図１に示すように、外枠１１０と、その外枠１１０の前部に設けられ外枠１１０の一側部にて開閉可能に支持され且つ遊技盤が装着された本体枠１２０とを備えている。外枠１１０は、パチンコ機１０１のベースとなる枠であり、板材により全体として矩形状に構成され、本体枠１２０を矩形開口内にて開閉可能に支持している。本体枠１２０は、合成樹脂、具体的にはＡＢＳ樹脂により構成されている。本体枠１２０の開閉軸線はパチンコ機１０１の正面から見て左側に上下に延びるように設定されている。
【００２８】
本体枠１２０には、下皿１２１、発射ハンドル１２２、スピーカ１２３等が設けられた下部領域を除く本体枠１２０の前面側を覆うように、ガラス扉枠１３０が本体枠１２０左端の垂直軸心回りに開閉自在に設けられている。ガラス扉枠１３０には、遊技盤に設けられた遊技領域の殆どを外部から視認することができるように略楕円形状の窓部１３１が形成されている。また、ガラス扉枠１３０下端部には、上皿１３２が一体的に設けられている。また、図示しない遊技盤には、ルータ加工が施されることによって複数の開口部が形成されており、各開口部には、普通入賞チャッカー、可変入賞装置、作動チャッカー、図柄変動表示装置、スルーチャッカー等が配設されている。
【００２９】
図柄変動表示装置の制御を行う表示制御基板（図示せず）や、スピーカ１２３における音声出力の制御を行う音声制御基板を含む各種の制御基板は、図２に示すように、パチンコ機１０１背面側に設けた透明樹脂製の裏パック１５０によって覆われている。また、パチンコ機１０１背面の略中央には、パチンコ機１０１の主制御を行う主制御基板１５３を基板ボックス１５２内に収納してなる主制御装置１５１が配設されている。また、主制御装置１５１の下方には、入賞による遊技球の払い出しや図示しないカードユニットからの貸し出し要求に基づいて遊技球の払い出しを行う払出ユニット及び遊技球の発射を行う発射装置の制御を行う払出発射制御基板１６３を基板ボックス１６２内に収納してなる払出発射制御装置１６１が配設されている。尚、主制御装置１５１及び払出発射制御装置１６１が、それぞれ本発明の遊技機用制御装置に相当するものである。
【００３０】
次に、主制御装置１５１の具体的な構成について図３乃至図１３を参照しつつ具体的に説明する。尚、払出発射制御装置１６１も主制御装置１５１と略同一の基板封止構造を有しているので、以下、これら制御装置１５１，１６１に相当する一般的な遊技機用制御装置１として説明を行うこととする。
【００３１】
遊技機用制御装置１（主制御装置１５１又は払出発射制御装置１６１に相当）は、図３に示すように、基板ボックス２（基板ボックス１５２又は１６２に相当）を構成するベース部材１０及び蓋部材２０と、基板ボックス２内に収容される制御基板３（主制御基板１５３又は払出発射制御基板１６３に相当）とから構成される。
【００３２】
ベース部材１０は、透明な合成樹脂からなり、図４に示すように、略矩形状とした全体形状のうち、蓋部材２０の挿入方向と平行な相対面する辺にレール状のガイド部１１，１１を有しており、蓋部材２０における相対面する辺に形成した鍔状部２４，２４をガイド部１１，１１に沿わせるようにスライドして装着できるようになっている（図３参照）。
【００３３】
ベース部材１０におけるガイド部１１，１１の挿入端とは反対側の辺（図４で左側の長辺）にはカシメ受け部材１２が一端側（図４で左端部側）に２個、他端側（図４で右端側）に５個それぞれ連結形成されている。各カシメ受け部材１２には、合成樹脂からなる平面視略コの字形の連結片１３が着脱自在に装着される。また、連結片１３先端の内側には、図５の拡大斜視図に示すように、後述するカシメ部材４０に設けられたカシメピン４２のくさび形頭部４２ａと係合可能な一対の係合爪１３ａ，１３ａが形成されている。
【００３４】
また、カシメ受け部材１２には、図６に示すように、制御基板３０を装着した蓋部材２０が挿入されてきた時にカシメピン４２と係合可能な位置に連結片１３を保持する第１の装着位置１２ａと、挿入されてきたカシメピン４２と係合しない位置に連結片１３を保持する第２の装着位置１２ｂとが形成されている。従って、５個のカシメ受け部材１２のうち、基板ボックス２の今回の封緘に使用されるカシメ受け部材１２では、連結片１３が第１の装着位置１２ａに装着され、今回の封緘には使用されないカシメ受け部材１２では、次回以降の封緘に使用される予備の連結片１３が第２の装着位置１２ｂに装着される。尚、図６では、右端のカシメ受け部材１２において、連結片１３が第１の装着位置１２ａに装着されている。尚、カシメ部材４０が本発明の係合部材を、カシメ受け部材１２及び連結片１３が被係合部材を、カシメ受け部材１２が受け部材を、カシメピン４２が係合ピンを、それぞれ構成するものである。
【００３５】
また、各カシメ受け部材１２は、図６に示すように、隣接するカシメ受け部材１２及びベース部材１０本体側と、それぞれ切断部１２ｃを介して接続されている。具体的には、隣接するカシメ受け部材１２間に１個、各カシメ受け部材１２とベース部材１０本体との間に２個の切断部１２ｃがそれぞれ形成されている。切断部１２ｃは、比較的に肉薄の合成樹脂により形成されているため、ニッパー等の切断用工具により容易に切断が可能である。
【００３６】
蓋部材２０は、ベース部材１０と同様に透明な合成樹脂からなり、図７に示すように、各辺がベース部材１０と略整合する平面視略矩形状を呈し且つ深みのある形状となっており、制御基板３をその部品載置面３１の側から蓋部材２０の内側に対面させつつ制御基板３を保持するようにしている。尚、図７は、蓋部材２０の内側から視た状態を示す斜視図であり、制御基板３の装着位置を点線にて示している。また、蓋部材２０の挿入端側の辺（図７で左側の長辺）には、ベース部材１０側のカシメ受け部材１２に対応して５個のカシメ保護部２１が設けられ、各カシメ保護部２１と対応するカシメ受け部材１２とはスライドにより係合するように構成されている（具体的には、カシメ保護部２１がカシメ受け部材１２の外側に摺接係合する）。カシメ保護部２１は、図７に示すように、制御基板３が装着された状態で、制御基板３と一体的に設けられたカシメ部材４０のカシメピン４２を覆うカバー状に形成されている。また、図８は、図７のＢ線矢視方向におけるカシメ保護部２１付近の拡大図である。図８に示すように、カシメ保護部２１には、ニッパー等の切断工具の先端を挿入可能とするために、カシメピン４２の根元部分を臨む両側が切り欠かれた開口部２１ａが形成されている。
【００３７】
制御基板３は、遊技機用の制御回路が搭載された図９に示す外観を呈するガラスエポキシ系樹脂基板であり、ＣＰＵやＲＯＭ（図示せず）、コネクタ等の各種電子部品が部品載置面３ａに載置されている。制御基板３には、ベース部材１０への挿入端側の辺（図９で左側の長辺）にカシメ部材４０が固着され、制御基板３とカシメ部材４０とが一体化されている。
【００３８】
カシメ部材４０は、合成樹脂からなり、図１０に示すように、細長い板状の取り付け部４１と、取り付け部４１より垂直に突設され且つ挿入方向へ屈曲したカシメピン４２と、取り付け部４１の挿入方向とは反対側の辺（図１０で右側の長辺）より垂直に突設され且つ制御基板３の部品載置面３ａと平行な板状の機種表示部４３とを有している。取り付け部４１には、制御基板３に載置された各種のコネクタを臨み且つ各コネクタの周囲を囲むように立設された開口部４１ａが形成され、これら開口部４１ａのいずれかとコネクタとの隙間に光硬化性樹脂を充填して硬化させることにより、カシメ部材４０が制御基板３の部品載置面３ａに固着されて制御基板３と一体化される。各カシメピン４２には、カシメ受け部材１２に装着された連結片１３と係合可能なくさび形の頭部４２ａが形成されている。機種表示部４３には、カシメ部材４０の樹脂成型時に、当該遊技機の機種名や機種番号等の機種情報が刻設される。
【００３９】
次に、基板ボックス２の封緘・開封の各作業内容及び各部の作用について詳細に説明する。最初に、基板ボックス２の封緘作業について、図面を参照しつつ説明する。
【００４０】
まず、カシメ部材４０が一体化された制御基板３（図９参照）を、蓋部材２０の内側に部品載置面３ａを向けて装着する（図７参照）。一方、ベース部材１０では、５個のカシメ受け部材１２のうち、少なくとも１つのカシメ受け部材１２において第１の装着位置１２ａへ連結片１３を装着する（図４参照）。好ましくは、図４で右側に設けられた３個のカシメ受け部材１２のうちの一つと、左側に設けられた２個のカシメ受け部材１２のうちの一つとについて、それぞれ第１の装着位置１２ａに連結片１３を装着しておく。残りのカシメ受け部材１２については、連結片１３を装着しなくても構わないが、予備用の連結片１３を第２の装着位置１２ｂにそれぞれ装着しておいてもよい。
【００４１】
続いて、蓋部材２０の鍔状部２４，２４をベース部材１０のガイド部１１，１１に沿わせるようにスライドし（図１参照）、蓋部材２０の各辺がベース部材１０の対応する各辺と重なる閉状態となるまでスライドさせていく。このとき、第１の装着位置１２ａに連結片１３が装着されたカシメ受け部材１２において、カシメ部材４０に設けられたカシメピン４２のくさび形頭部４２ａが略コの字形の連結片１３の内側に挿入されると共に、連結片１３の内側に設けられた一対の係合爪１３ａ，１３ａによってくさび形頭部４２ａが係止されて抜け止めが図られる（図１２における右端のカシメ受け部材１２）。このように、ベース部材１０と蓋部材２０とを互いにスライドさせるだけの極めて簡単な作業で基板ボックス２の封緘が完了する。尚、この状態で、カシメピン４２と連結片１３との連結部分は、ベース部材１０のカシメ受け部材１２と蓋部材２０のカシメ保護部２１とによって上下を覆われており、外部からアクセスすることはできない。
【００４２】
次に、封緘された基板ボックス２の開封作業について、図面を参照しつつ説明する。まず、カシメピン４２がかしめ付けられているかしめ受け部材１２について、各切断部１２ｃをニッパー等を用いて切断する。例えば、図１３（ａ）では、右側のカシメ受け部材１２と中央のカシメ受け部材１２とを連結する切断部１２ｃ、及び右側のカシメ受け部材１２とベース部材１０本体とを連結する２個の切断部１２ｃ、１２ｃの合わせて３箇所を切断する。カシメピン４２がかしめ付けられているすべてのカシメ受け部材１２について、必要な切断部１２ｃの切断が完了することにより、ベース部材１０と蓋部材２０との結合が解除される。尚、図１３（ａ），（ｃ）では、カシメピン４２と連結片１３との係合部分を見易くするために、蓋部材２０の図示を省略している。
【００４３】
続いて、この状態で蓋部材２０をベース部材１０に対して反挿入方向（Ａ’方向）へスライドさせることにより、蓋部材２０がベース部材１０から完全に引き抜かれて分離される。この時、各切断部１２ｃが切断されたカシメ受け部材１２は、ベース部材１０から分離され、カシメピン４２を介して連結された蓋部材２０側に位置している（図１３（ｂ）参照）。また、この状態において、制御基板３は部品載置面３ａが蓋部材２０によって覆われているので、ＲＯＭ等の電子部品へはアクセスすることができない。次に、カシメ保護部２１の開口部２１へニッパー等の先端を挿入して、カシメピン４２の根元部分を切断する（図８、図１３（ｃ）参照）。そして、カシメ受け部１２と根元が切断されたカシメピン４２とをカシメ保護部２１からスライドさせて引き抜くことにより、制御基板３を蓋部材２０から分離可能な状態となる。また、引き抜いたカシメ受け部材１２からは、容易に連結片１３を取り外すことができるので、他のカシメ受け部材１２へ装着し直して、再度、基板ボックス２の封緘に利用することができる。
【００４４】
以上詳述したことから明らかなように、本実施形態によれば、ベース部材１０と蓋部材２０とがカシメ構造によって互いに不可逆的に結合されることにより、制御基板３を内部に収納する基板ボックス２が開封不能に封緘される。また、カシメ構造の一部をなすカシメ部材４０が制御基板３と一体的に構成されているので、基板ボックス２内に収納された制御基板３を取り出すためには、カシメ部材４０を破損させて基板ボックス３を開封する必要がある。従って、基板ボックス２が不正に開封されて制御基板３に不正ＲＯＭ交換等の改造が施された場合には、開封の痕跡が制御基板３側に必ず残ることになる。よって、従来は、基板ボックス自体が複製されている場合には開封の痕跡が残らないので不正の発見が困難となっていたが、本発明によれば、不正改造の対象物である制御基板３自体に基板ボックス２開封の痕跡が残るので容易且つ確実に不正を発見することができる。
【００４５】
また、制御基板２が蓋部材２０の内側に装着された状態で、制御基板３と一体的に設けられたカシメ部材４０が、ベース部材１０に設けられたカシメ受け部材１２の連結片１３と係合し、制御基板３がベース部材１０と蓋部材２０とから形成される内部空間（すなわち、基板ボックス２内）に収納され且つベース部材１０と蓋部材２０とが互いに不可逆的に結合されることにより、制御基板２を内部に収納する基板ボックス２が開封不能に封緘される。
【００４６】
また、蓋部材２０の内側に制御基板３が装着された状態でカシメ部材４０がカシメ保護部２１によって覆われ且つカシメ保護部２１とカシメ受け部材１２とがスライドにより係合しているので、カシメ部材４０とカシメ受け部材１２との連結部分へ不正にアクセスすることが確実に禁止される。また、カシメ保護部２１には、カシメ部材４０の一部（具体的には、カシメピン４２の根元部分）を臨む開口部２１ａが形成されているので、その開口部２１ａにニッパー等の切断用工具を差し込んでカシメピン４２を容易に切断してカシメ部材４０とカシメ受け部材１２との連結を解除することができる。
【００４７】
また、カシメ部材４０は、制御基板３とは別体であるので、制御基板３とは別個に合成樹脂の成型加工等により容易に製造可能である。さらに、カシメ部材４０は光硬化性樹脂を用いて強固に固着されることにより制御基板３と一体化されるので、基板ボックス２が不正に開封された場合に制御基板３側へ確実に痕跡を残すことができる。また、カシメ部材４０が当該遊技機の機種情報（例えば、機種名）を表示する機種表示部４３を有するので、透明な合成樹脂によって形成された蓋部材２０を介して機種情報が外部から視認可能である。また、基板ボックス２（すなわち、ベース部材１０及び蓋部材２０）側に機種表示部を設ける必要がなく、基板ボックス２を各機種の共通部品として大量生産することが可能となる。
【００４８】
また、カシメ受け部材１２は、連結片１３を着脱自在に装着してなり、カシメ部材４０が連結片１３を介してかしめ付けられる構造であり、使用済みの連結片１３をカシメ受け部材１２から取り外すことができるので、他のカシメ受け部材１２に装着し直すことにより基板ボックス２の封緘に再利用することができる。カシメ部材４０に設けられたカシメピン４２のくさび形頭部４２ａが、全体が略コの字形に形成された連結片１３に挿入され且つ内側に設けられた一対の係合爪１３ａ，１３ａに係合することにより、カシメ部材４２がカシメ受け部材１２に対して確実にかしめ付けられて引き抜き不能となる。
【００４９】
また、ベース部材１０と蓋部材２０とを、対応する各辺が重なる閉状態となるまで互いにスライドさせることにより、カシメ部材４０がカシメ受け部材１２にかしめ付けられる。よって、ベース部材１０と蓋部材２０とを互いにスライドさせるだけの極めて簡単な作業で両部材を互いに不可逆的に結合させることができる。
【００５０】
また、カシメ受け部材１２は、切断が容易な切断部１２ｃを介してベース部材１０本体と連結されているので、カシメ部材４０がカシメ受け部材１２にかしめ付けられた状態で切断部１２ｃを切断することにより、ベース部材１０と蓋体２０との連結を解除することができる。また、カシメ受け部材１２の切断部１２ｃを切断しても、ベース部材１０から分離されたカシメ受け部材１２とカシメ部材４０との連結は解除されず、制御基板３と蓋部材２０とはカシメピン４２及びカシメ受け部材１２を介して連結されているため、制御基板３を蓋部材２０から分離するためにはカシメピン４２を切断等により破損させることが必要であり、蓋部材２０と一体的に設けられたカシメ部材４０に開封の痕跡を確実に残すことができる。
【００５１】
そして、パチンコ遊技機１０１によれば、遊技機用制御装置１（具体的には、主制御装置１５１及び払出発射制御装置１６１）が、遊技ホールの営業時間中を含めて頻繁に店員等の目に触れるパチンコ遊技機１０１の背面側に配置されることにより、不正の早期発見及び不正の未然防止を図ることができる。
【００５２】
尚、遊技機用制御装置１では、制御基板３を除き、基板ボックス２を構成する全ての部材（着脱可能部品である連結片１３を含む）が合成樹脂によって形成されているため、廃棄時に分別する必要が無く、リサイクル性に優れているという利点がある。
【００５３】
尚、本発明は上述した実施の形態に限定されるものではなく、本発明の主旨を逸脱しない範囲で種々の変更を施すことが可能である。例えば、前記実施形態では、本発明の遊技機用制御装置をパチンコ遊技機に適用した例を示したが、他の各種遊技機に適用することも可能である。
【００５４】
具体的には、本発明をパチロット遊技機に適用してもよい。図１４は、パチロット遊技機の一例を示す正面斜視図である。パチロット遊技機２０１は、複数種類の図柄が表示された複数（３個）の回転リール２０２、各回転リール２０２の回転起動操作を行うスタートレバー２０３、左・中・右の回転リール２０２にそれぞれ対応して設けられたストップスイッチ２０４等を備え、各回転リール２０２の回転停止時の図柄の組合わせに基づく入賞態様に応じて遊技球が払い出されるように構成されている。また、図示しないが、パチロット遊技機２０１の背面側にも、パチンコ機１０１と同様に遊技機用制御装置１が装着され、メンテナンスのためにパチロット遊技機２０１を開いたときには容易に遊技機用制御装置１に不正開封の痕跡があるか否かを視認できる。従って、パチロット遊技機２０１によれば、不正の早期発見及び不正の未然防止を図ることができる。
【００５５】
或いは、本発明をスロットマシンに適用してもよい。図１５は、スロットマシンの一例を示す正面図である。スロットマシン３０１は、複数種類の図柄が表示された複数（３個）の回転リール３０２、各回転リール３０２の回転起動操作を行うスタートレバー３０３、左・中・右の回転リール３０２にそれぞれ対応して設けられたストップスイッチ３０４等を備え、各回転リール３０２の回転停止時の図柄の組合わせに基づく入賞態様に応じて遊技メダルが払い出されるように構成されている。また、図示しないが、スロットマシン３０１の背面側にも、パチンコ機１０１と同様に遊技機用制御装置１が装着され、メンテナンスのためにスロットマシン３０１を開いたときには容易に遊技機用制御装置１に不正開封の痕跡があるか否かを視認できる。従って、スロットマシン３０１によれば、不正の早期発見及び不正の未然防止を図ることができる。
【００５６】
また、前記実施形態では、制御基板３が蓋部材２０の内側に装着される構成とし、制御基板３と一体的に設けられたカシメ部材４０が、ベース部材１０側に設けられたカシメ受け部材１２の連結片１３と係合する構成としたが、これには限られず、制御基板３がベース部材１０の内側に装着される構成とし、制御基板３と一体的に設けられた係合部材が蓋部材２０側に設けられた被係合部材と係合する構成としてもよい。要するに、制御基板にカシメ構造の一部をなす係合部材が一体的に設けられ、ベース部材及び蓋部材のうち、一方には制御基板が内側に装着されると共に、他方にはカシメ構造の他の一部をなし且つ係合部材と係合可能な被係合部材が設けられる構成であればよい。
【産業上の利用可能性】
【００５７】
本発明は、パチンコ遊技機、スロットマシン、パチロット遊技機等の各種遊技機及びその制御装置に適用可能である。
【図面の簡単な説明】
【００５８】
【図１】本発明の一実施形態のパチンコ遊技機を示す正面図である。
【図２】パチンコ遊技機を示す背面図である。
【図３】本発明の一実施形態の遊技機用制御装置を示す斜視図である。
【図４】ベース部材を示す斜視図である。
【図５】連結片を拡大して示す斜視図である。
【図６】ベース部材のカシメ受け部材付近を拡大して示す斜視図である。
【図７】蓋部材を内側から視た状態を示す斜視図である。
【図８】図７のＢ線矢視方向におけるカシメ保護部付近の拡大図である。
【図９】カシメ部材が一体化された制御基板を示す斜視図である。
【図１０】カシメ部材を示す斜視図である。
【図１１】カシメ部材がカシメ受け部材側にかしめ付けられた状態を示す斜視図である。
【図１２】カシメピンと連結片とが連結された状態を拡大して示す斜視図である。
【図１３】（ａ）はカシメ受け部材の切断箇所を、（ｂ）は蓋部材をベース部材より引き抜く様子を、（ｃ）はカシメピンの切断箇所をそれぞれ示す斜視図である。
【図１４】パチロット遊技機の一例を示す斜視図である。
【図１５】スロットマシンの一例を示す正面図である。
【符号の説明】
【００５９】
１    遊技機用制御装置
２    基板ボックス
３    制御基板
１０    ベース部材
１２    カシメ受け部材（被係合部材、受け部材）
１２ａ  第１の装着位置
１２ｂ  第２の装着位置
１２ｃ  切断部
１３    連結片（被係合部材）
１３ａ  係合爪
２０    蓋部材
２１    カシメ保護部
４０    カシメ部材（係合部材）
４２    カシメピン（係合ピン）
４２ａ  くさび形頭部
４３    機種表示部
１０１    パチンコ遊技機（遊技機）
１５１    主制御装置（遊技機用制御装置）
１５２    基板ボックス
１５３    主制御基板（制御基板）
１６１    払出発射制御装置（遊技機用制御装置）
１６２    基板ボックス
１６３    払出発射制御基板（制御基板）
２０１    パチロット遊技機（遊技機）
３０１    スロットマシン（遊技機）
【図１】
2006129939.tif 000003
【図２】
2006129939.tif 000004
【図３】
2006129939.tif 000005
【図４】
2006129939.tif 000006
【図５】
2006129939.tif 000007
【図６】
2006129939.tif 000008
【図７】
2006129939.tif 000009
【図８】
2006129939.tif 000010
【図９】
2006129939.tif 000011
【図１０】
2006129939.tif 000012
【図１１】
2006129939.tif 000013
【図１２】
2006129939.tif 000014
【図１３】
2006129939.tif 000015
【図１４】
2006129939.tif 000016
【図１５】
2006129939.tif 000017